(57)【要約】【課題】移動シートの部分に動きを与えることが可能で、その部分が密封構造となっており環境の悪影響を受け難くその動きに高い信頼性が得られる印刷物を提供する。【解決手段】移動シート、固定シート、電源部、制御部、包装体、流動体から成る印刷物である。移動シートはその面が固定シートの面に対向して移動可能に配置され、静電力によって移動を行う。また表面に印刷が行なわれている。固定シートには電極郡が存在する。電源部は電極郡に対して所定の電位を供給する。制御部は移動シートを移動する制御を電源部に対して行う。包装体は流動体を満たし固定シートと電源部とを接続するためのリード線を外部に引出して移動シートと固定シートを包装し、流動体は移動シートの移動を可能とするため包装体における所定の内部空間を保持する。【選択図】  図１
2009128573.tif 000002
【特許請求の範囲】
【請求項１】
移動シートと、固定シートと、電源部と、制御部と、包装体と、流動体から成る印刷物であって、
前記移動シートはその面が前記固定シートの面に対向して移動可能に配置され、その対向面に前記固定シートの電極電位に応じた電荷が誘起され、その誘起された電荷と前記固定シートの電極電位との間に静電力が発生し、その発生した静電力によって前記固定シートに対して移動を行い、また前記対向面に対して反対面である表面に印刷が行なわれており、
前記固定シートはその面が前記移動シートの面に対向して配置され、その対向面に沿う方向に電極線の複数本が互いに平行となるように配列され、その複数本の電極線が前記配列の順序にしたがって３系統に統合接続されて３系統の端子が設けられた電極郡を成し、  前記電源部は前記制御部の制御下において前記電極郡に対して所定の電位を前記３系統の端子から供給し、
前記制御部は前記電源部が前記電極郡に供給する前記所定の電位を制御し、
前記包装体は前記流動体を満たし前記固定シートと前記電源部とを接続するためのリード線を外部に引出して前記移動シートと前記固定シートを包装し、
前記流動体は前記移動シートの移動を可能とするため前記包装体における所定の内部空間を保持する、
ことを特徴とする印刷物。
【請求項２】
請求項１記載の印刷物において、前記固定シートは前記移動シートとの対向面に印刷が行なわれていることを特徴とする印刷物。
【請求項３】
請求項１または２記載の印刷物において、前記流動体として空間を保持するための気体と潤滑性を得るための液体の２つが使用されることを特徴とする印刷物。
【発明の詳細な説明】
【技術分野】
【０００１】
本発明は特殊な印刷物の技術分野に属する。特に、移動シートの部分に動きを与えることが可能で、たとえばポスター等の広告掲示物に適用したときの表現性、注目性、意外性、訴求性、等に優れ、さらに移動シートと固定シートの部分が密封構造となっており環境の悪影響を受け難くその動きに対する高い信頼性が得られる印刷物に関する。
【背景技術】
【０００２】
複数の表示シートが無限軌道体を移動することにより繰返表示を可能とする連続表示装置の発明が知られている（特許文献１）。この発明によれば、無限軌道体はシート電極と駆動電源とを備える。シート電極は、無限軌道体の長さ方向に対して略直角方向に延びた複数の電極Ｐｕ，Ｐｖ，Ｐｗを形成し、所定間隔ごとに各電極Ｐｕ，Ｐｖ，Ｐｗを繰返し接続し、無限軌道体の無限軌道に対して一体に形成した電極である。また、駆動電源はシート電極の各電極Ｐｕ，Ｐｖ，Ｐｗ に対して順次電圧を印加する電源である。表示シートはシート電極に対向配置され、表示シートにはシート電極の各電極Ｐｕ，Ｐｖ，Ｐｗ に対向する表面に電荷が誘起される。その誘起された電荷とシート電極の各電極Ｐｕ，Ｐｖ，Ｐｗ に駆動電源が順次印加する電圧によって、両者間に静電力を発生させる。そして、その発生した静電力によって表示シートは無限軌道を移動する。
【０００３】
また、透光量調整装置や広告装置として利用可能であり、装置全体を薄型に構成することが出来る静電アクチュエータ装置の発明が知られている（特許文献２）。この発明によれば、静電アクチュエータ装置は移動体と一対の透光ガラス板と透明板状体とインシュレータとを備える。移動体は３相の帯状電極が所定ピッチで平行に複数配設されたフィルムであって、所定間隔に対向配置された一対の透光ガラス板間に配置される。透明板状体は、帯状電極と直交する方向に折返された扁平なＳ字状断面をなす移動体の基端部を固定する。インシュレータは移動体の折返し重合部における基端部側と中間部との間に介設される。その構成において、３相の帯状電極に供給される電荷の極性変化に応じて移動体の折返し重合部における先端部側に伸縮駆動力を付与する。折返した移動体の伸縮により透光量調整や表示のためのフィルム移動が行なわれる。
【特許文献１】特開平１１−２４９５９８
【特許文献２】特開平１０−３２９８７
【０００４】
しかしながら、この従来の方法においては、表示シート（移動体）は無限軌道（透光ガラス板）に内側を密接したままで、外側は露出しており外界の環境に曝されながら移動を行なう。すなわち、ポスター等の広告掲示物に適用したときには、環境の悪影響を受け易くその動きに対する信頼性が低いという問題がある。
【発明の開示】
【発明が解決しようとする課題】
【０００５】
本発明は上記の問題を解決するために成されたものである。その目的は、移動シートの部分に動きを与えることが可能で、たとえばポスター等の広告掲示物に適用したときの表現性、注目性、意外性、訴求性、等に優れ、さらに移動シートと固定シートの部分が密封構造となっており環境の悪影響を受け難くその動きに対する高い信頼性が得られる印刷物を提供することにある。
【課題を解決するための手段】
【０００６】
本発明の請求項１に係る印刷物は、移動シートと、固定シートと、電源部と、制御部と、包装体と、流動体から成る印刷物であって、  前記移動シートはその面が前記固定シートの面に対向して移動可能に配置され、その対向面に前記固定シートの電極電位に応じた電荷が誘起され、その誘起された電荷と前記固定シートの電極電位との間に静電力が発生し、その発生した静電力によって前記固定シートに対して移動を行い、また前記対向面に対して反対面である表面に印刷が行なわれており、  前記固定シートはその面が前記移動シートの面に対向して配置され、その対向面に沿う方向に電極線の複数本が互いに平行となるように配列され、その複数本の電極線が前記配列の順序にしたがって３系統に統合接続されて３系統の端子が設けられた電極郡を成し、  前記電源部は前記制御部の制御下において前記電極郡に対して所定の電位を前記３系統の端子から供給し、  前記制御部は前記電源部が前記電極郡に供給する前記所定の電位を制御し、  前記包装体は前記流動体を満たし前記固定シートと前記電源部とを接続するためのリード線を外部に引出して前記移動シートと前記固定シートを包装し、  前記流動体は前記移動シートの移動を可能とするため前記包装体における所定の内部空間を保持するようにしたものである。
また本発明の請求項２に係る印刷物は、請求項１に係る印刷物において、前記固定シートは前記移動シートとの対向面に印刷が行なわれているようにしたものである。
また本発明の請求項３に係る印刷物は、請求項１または２に係る印刷物において、前記流動体として空間を保持するための気体と潤滑性を得るための液体の２つが使用されるようにしたものである。
【発明の効果】
【０００７】
本発明の請求項１に係る印刷物によれば、その印刷物は移動シートと、固定シートと、電源部と、制御部と、包装体と、流動体から成る。移動シートはその面が固定シートの面に対向して移動可能に配置され、その対向面に固定シートの電極電位に応じた電荷が誘起され、その誘起された電荷と固定シートの電極電位との間に静電力が発生し、その発生した静電力によって固定シートに対して移動を行う。また移動シートは固定シートとの対向面に対して反対面である表面に印刷が行なわれている。  固定シートはその面が移動シートの面に対向して配置され、その対向面に沿う方向に電極線の複数本が互いに平行となるように配列され、その複数本の電極線が配列の順序にしたがって３系統に統合接続されて３系統の端子が設けられた電極郡を成す。  電源部は制御部の制御下において電極郡に対して所定の電位を３系統の端子から供給する。  制御部は電源部が電極郡に供給する所定の電位を制御する。  包装体は流動体を満たし固定シートと電源部とを接続するためのリード線を外部に引出して移動シートと固定シートを包装する。  流動体は移動シートの移動を可能とするため包装体における所定の内部空間を保持する。すなわち、移動シートと固定シートとは流動体を満たした包装体によって密封されている。したがって、移動シートの部分に動きを与えることが可能で、たとえばポスター等の広告掲示物に適用したときの表現性、注目性、意外性、訴求性、等に優れ、さらに移動シートと固定シートの部分が密封構造となっており環境の悪影響を受け難くその動きに対する高い信頼性が得られる印刷物が提供される。
また本発明の請求項２に係る印刷物によれば、請求項１に係る印刷物において、固定シートは移動シートとの対向面に印刷が行なわれている。したがって、固定シートにおける移動シートに隠されていない部分の印刷内容が移動シートの移動により変化をともなって表れ、移動シートの印刷内容と合わさって顕著な相乗効果を生じさせることができる。
また本発明の請求項３に係る印刷物は、請求項１または２に係る印刷物において、前記流動体として空間を保持するための気体と潤滑性を得るための液体の２つが使用される。したがって、移動シートの移動を可能とする空間が保持され、移動シートの移動を容易にする潤滑性が得られる。
【発明を実施するための最良の形態】
【０００８】
次に、本発明の実施の形態について図を参照しながら説明する。本発明の印刷物における移動シートと固定シートの部分の構成の一例を図１に示す。図１において、１は移動シート、２は固定シートである、３ａ，３ｂは包装体、４は流動体、５はリード線である。
本発明の印刷物は、たとえば、ポスター等の広告掲示物に適用される印刷物であるが、一般的に知られている広告掲示を行なう媒体としての印刷物の部分が、本発明における移動シート１と固定シート２の部分に相当する。しかしながら、後述するように、本発明はそれら移動シート１と固定シート２の部分の構成においても、それらに動きを付与させるための電源部と制御部とを備えていることにおいても、一般的な印刷物とは相違する。広告掲示物には一枚の印刷物としてのポスターだけでなく、電池、モーター等を使用して動きを付与した広告掲示物がある。本発明の印刷物はそれらとは相違するものであって、枚葉（シート）の印刷物であるポスターが移動を行うとともに包装体３ａ，３ｂによって密封構造となっており環境の悪影響を受け難くその動きに対する高い信頼性が得られる態様の印刷物である。
【０００９】
そこで、最初に、本発明の印刷物における包装体３ａ，３ｂの部分の構成について、図１を参照して説明する。
包装体３ａ，３ｂは、図１に示すように、移動シート１、固定シート２、流動体４、等を封入する。包装体３ａ，３ｂは、図１に示す上側の包装体である包装体３ａの部分と図１に示す下側の包装体である包装体３ｂの部分とを貼り合わせた構成を有する。移動シート１、固定シート２、流動体４、等が包装体３ａ，３ｂに封入された状態において、移動シート１は移動可能となっている。移動シート１を移動可能とする条件としては、（条件１）移動シート１と固定シート２とが対向面において静電力が十分に作用するように接近していること、（条件２）移動シート１と固定シート２とは対向面において大きな摩擦力が作用しないこと、（条件３）移動シート１は対向面以外の部分において大きな接触抵抗を受けないこと、等である。図１に示す一例においては、水平面に対して移動シート１、固定シート２の各面が平行となるような姿勢で載置しており、さらに流動体４が封入されていることから、上記の条件を満たしている。
なお、電極を有する固定シート２と電源部（後述する）とを電気的に接続するリード線５は、包装体３ａと包装体３ｂとの貼り合わせ部分を貫通して包装体３ａ，３ｂの内部から外部へと引出されている（図２、図３参照）。このリード線５については詳細を後述する。
【００１０】
包装体３ａ，３ｂの要求特性の１つに密閉性がある。包装体３ａ，３ｂにより包装する目的は、環境の悪影響を受け難くして、移動シート１の動きに対する高い信頼性を得ることである。したがって、外側にあるものが内側に入り込むことによって、移動シート１の動作その他に不具合が生じないような密閉性を必要とする。たとえば、塵埃、水分、水蒸気、その他の固体、液体、気体の浸入を防ぐ密閉性（バリア性）を必要とする。
また、その反対に内側に常に存在しなければならない物質、たとえば流動体４を包装体３ａ，３ｂの内側に封入しておき流動体４が漏れ出すことがないような密閉性を必要とする。
【００１１】
また包装体３ａ，３ｂの要求特性の１つに透明性がある。移動シート１および固定シート２に印刷されている文字絵柄を包装体３ａ，３ｂの外部から視認できなければ、印刷物としての意味をなさない。したがって、すくなくとも印刷面の側を被覆する包装体３ａ，３ｂの部分は、光学的な透明性を有することが必須条件である。
また包装体３ａ，３ｂの要求特性の１つに化学的安定性がある。たとえば、流動体４と包装体３ａ，３ｂが化学反応等により変質してその役割を果たさなくなることがない安定性を必要とする。
また包装体３ａ，３ｂの要求特性の１つに機械的耐久性がある。たとえば、印刷物がポスターであれば公共の場所に掲示されることから、機械的な接触等が起きることは避けられない。したがって、振動、衝突、変形、摩擦、かすり傷、ひっかき傷、等に対する耐久性を必要とする。
【００１２】
以上の条件を満たすものであれば、本発明においては包装体３ａ，３ｂの材料、構成、等について特に限定はなく周知のものを適用することができる。
たとえば、可撓性プラスチック基材の少なくとも一方の面に、プラズマ処理面を設け、更に、該プラズマ処理面に、無機酸化物の薄膜を設けなる透明バリアフィルム、それを使用した積層材（特開平１０−１９３５０２）を適用することができる。
また、２軸延伸ポリプロピレンフィルムの一方の面に、耐プラズマ保護層を設け、更に、該プラズマ保護層の上に、バリア層を設け、かつ、該バリア層が、プラズマ化学気相成長法による無機酸化物の薄膜からなる透明バリア性フィルム、およびそれを使用した積層体（特開平１１−１０５２１８）を適用することができる。
また、無機酸化物の蒸着膜を設けた基材フィルムからなり、更に、それにアニ−リング処理を施して、その水蒸気透過度を、２．０ｇ／ｍ2・ｄａｙ〜０．０００００１ｇ／ｍ2・ｄａｙの範囲内、また、酸素透過度を、２．０ｃｃ／ｍ2・ｄａｙ〜０．０００００１ｃｃ／ｍ2・ｄａｙの範囲内に構成したバリア性フィルム（特開２００２−１８７２３１）を適用することができる。
また、ポリアミド系樹脂フィルムの一方の面に、樹脂をビヒクルの主成分とする樹脂組成物による塗布膜からなる水障壁膜を設け、その他方の面に、無機酸化物の蒸着薄膜を設けたこと、具体的には、ポリアミド系樹脂フィルムの一方の面に、ポリエステル系樹脂、アクリル系樹脂、炭化水素系樹脂、または、珪素系樹脂の１種または２種以上からなる特定の樹脂をビヒクルの主成分とする樹脂組成物による塗布膜からなる水障壁膜を設け、その他方の面に、無機酸化物の蒸着薄膜を設けたバリア性フィルムおよびそれを使用した積層材（特開２００２−３３１６０５）を適用することができる。
【００１３】
また、最外層である二軸延伸ポリアミドフィルム、中間層である二軸延伸ポリエステルフィルム、および、最内層である未延伸ポリプロピレンフィルムを、ドライラミネート接着剤を介して、順次積層される積層体であって、前記の最外層が、層状珪酸塩、または、膨潤性フッ素雲母系鉱物を０．０１〜１０重量％含むポリアミド樹脂からなり、かつ、最内層が、エチレン樹脂を１０〜２０重量％含有するエチレン−プロピレンブロック共重合体樹脂８０〜８５部とエチレン・ブテン−１共重合体、プロピレン共重合体群から選ばれるゴム成分１５〜２０部からなる透明レトルト処理用積層体（特開２００４−９０３７０）を適用することができる。
また、二軸延伸ポリアミド系樹脂フィルム１の一方の面に、有機含有酸化珪素層２を設け、更に、該有機含有酸化珪素層の上に、一般式Ｒ１ｎＭ（ＯＲ２）ｍ（ただし、式中、Ｒ１、Ｒ２は、炭素数１〜８の有機基を表し、Ｍは、金属原子を表し、ｎは、０以上の整数を表し、ｍは、１以上の整数を表し、ｎ＋ｍは、Ｍの原子価を表す。）で表される少なくとも１種以上のアルコキシドと、ポリビニルアルコ−ル系樹脂及び／又はエチレン・ビニルアルコ−ル共重合体とを含有し、更に、ゾルゲル法によって重縮合して得られるガスバリア性組成物によるガスバリア性塗布膜３を設けたバリア性フィルム（特開２００７-１１１９７４）を適用することができる。
【００１４】
包装体３ａ，３ｂからリード線５を引出す部分の構造について図を参照して説明する。包装体３ａ，３ｂからリード線５を引出す部分の構造の一例を図２、図３に示す。図２、図３において、３ａ，３ｂは包装体、５はリード線、６はヒートシール材（シーラント）である。図１〜図３に示すように、電極を有する固定シート２と電源部（後述する）とを電気的に接続するリード線５（固定シートのリード線）は、包装体３ａと包装体３ｂとの貼り合わせ部分を貫通して包装体３ａ，３ｂの内部から外部へと引出されている。包装体３ａと包装体３ｂの対向する面はヒートシール層を設ける等によりヒートシール可能な表面となっている。
リード線５としては、その素線の断面が円形でなく断面が長辺の長い矩形すなわち平板であり、その素線の複数を束ねたフラットケーブルを使用することができる。そのようなリード線は他の円形の素線を有するリード線に比べれば厚さを薄くすることができ好適である。しかし、それでもリード線５は相応の厚さを有する（多くは０．３〜１．０ｍｍの範囲）ため、そのままではヒートシールしても隙間のある不完全なシール状態となって十分な密閉性を得ることができない。
そこで、図２と図３に示す一例においては、包装体３ａ，３ｂにおけるヒートシール部分にヒートシール材６を使用している。
【００１５】
ヒートシール材６は、加熱時に溶融または半溶融の状態となって、包装体３ａと包装体３ｂの対向する面に溶着する性質を有する材料である。ヒートシール材６としては、包装体３ａと包装体３ｂにおけるヒートシール層と同一の材料を使用することができる。また、ＥＶＡ（エチレン酢酸ビニル共重合体）、ＣＰＰ（無延伸ポリプロピレン）、ＬＬＤＰＥ（直鎖状低密度（Linear Low Density）ポリエチレン）、ＭＤＰＥ（中密度ポリエチレン）、等の一般的なヒートシール材（シーラント）を使用することができる。
包装体３ａ，３ｂのリード線５を引出すヒートシール部分は、図２、図３においては断面が屈曲した形状となっており、その屈曲した形状が隘路となって高い密閉性を得ることができる。包装体３ａ，３ｂの底面部分である包装体３ｂは、図２に示す一例においては平面となっており水平面に載置したときの安定性が優れる。一方、図３に示す一例においては、屈曲面となっており密閉性に優れる。
【００１６】
流動体４は移動シート１の移動を可能とするため包装体３ａ，３ｂにおける所定の内部空間を保持する機能を有する。この機能を果たす流動体４としては空気、窒素ガス、炭酸ガス、等の気体、シリコーンオイル、フッ素系液体、等の電気絶縁性を有する液体を使用することができる。また、移動シート１の固定シート２に対向する面と固定シート２の移動シート１に対向する面との間の領域に入り込んで潤滑性の薄い皮膜を形成して移動シート１の移動を容易にする機能を有する。この機能を果たす流動体４としては気体よりもシリコーンオイル、フッ素系液体（たとえば、フロリナート（商標））、等の不活性かつ電気絶縁性を有する液体を使用する方が好適である。
流動体４は気体または液体を単独で使用することができる。また、流動体４は気体および液体を組み合わせて使用することができる。たとえば、流動体４として空間を保持するための気体として窒素ガスまたは炭酸ガスを、潤滑性を得るための液体としてフロリナート（商標）の２つを使用すると好適である。
【００１７】
次に、本発明の印刷物において、移動シート１と固定シート２の間に静電力が発生し、その静電力により移動を行なう構成について説明する。
移動シート１と固定シート２の間に静電力が発生し、その静電力により移動を行なう原理についての説明図を図４に示す。
図４に示す一例において、移動シート１には電極線は設けられていない。移動シート１は一般的には絶縁材料（誘電体）であり、たとえば、ポリエステルフィルム、ポロプロピレンフィルム、ポリスチレンフィルム、ポリ塩化ビニール、ポリ塩化ビニリデンフィルム、ポリエチレンフィルム、ポリアミドフィルム、ポリイミドフィルム、等のプラスチックフィルムを使用することができる。また、そのような絶縁材料を固定シート２との対向面にラミネートした（貼り合せた）紙、等の複合材料を使用することができる。移動シート１の表面は、表面抵抗率が約１０12〜１０15Ω／□程度が好適である。この場合微弱な電気が流れるため、固定シート２の電極線によって移動シート１に誘起された電荷は、電極線における電圧の瞬間的な変化に対して遅れて追従することになる。このような表面物性は材料表面の処理に大きく影響されることがあるため、使用することができる材料は上記に限定されず、コーティング処理で表面低効率を最適化してもよい。
【００１８】
一方、図４に示す一例において、固定シート２には電極線が設けられている。固定シート２としては、プリント配線板、フレキシブルプリント配線板を使用することができる。電極線は固定シート２の移動シート１との対向面に沿う方向に複数本が互いに平行となるように配列している。その複数本の電極線が配列の順序にしたがって３系統に統合接続されて３系統の端子が設けられた電極郡を成す。後述するように、その電極郡も複数個が存在する。図４に示す一例においては、固定シート２には移動シート１との対向面に沿う方向に複数本の電極線２１ａ，２１ｂ，２１ｃ，２１ｄ，２１ｅ，２１ｆ，２１ｇ，２１ｈ，・・・が互いに平行となるように配列している。その複数本の電極線２１ａ・・・が配列の順序にしたがって３系統に統合接続されて３系統の端子Ｕ，Ｖ，Ｗが設けられている。端子Ｕ，Ｖ，Ｗには独立に任意の波形の電圧を制御部（図示せず）の制御下における電源部（図示せず）から印加することができる。電源部は端子Ｕ，Ｖ，Ｗに所定電圧の電力を供給し、制御部は印加する電圧の時系列パターンが所定パターンとなるように電源部を制御する。
【００１９】
図４を参照して、その動作の一例について説明する。まず、図４（１）に示すステップおいて、一例として、（Ｕ，Ｖ，Ｗ）＝（＋，−，０）の電圧を印加する。印加した瞬間に端子Ｕに接続する電極線は＋に、端子Ｖに接続する電極線は−に、端子Ｗに接続する電極線は０になる。
次に、図４（２）に示すステップおいて、電圧が印加された電極線による電界によって移動シート１には電荷が誘起され帯電する。端子Ｕに接続する電極線は＋であるから、移動シート１のその部位には−の電荷が誘起され、端子Ｖに接続する電極線は−であるから、移動シート１のその部位には＋の電荷が誘起され、端子Ｗに接続する電極線は０であるから、移動シート１のその部位には電荷が誘起されない。このとき、移動シート１と固定シート２との間には対向面に対して直角方向の引力が作用する。
【００２０】
次に、図４（３）に示すステップおいて、印加する電圧を切替えて（Ｕ，Ｖ，Ｗ）＝（−，＋，−）の電圧を印加する。移動シート１に誘起された電荷は電圧の瞬間的な変化に対して直ぐには追従することができない。端子Ｕに接続する電極線は−に切替えられたが、移動シート１のその部位には−の電荷が残留し、端子Ｖに接続する電極線は＋に切替えられたが、移動シート１のその部位には＋の電荷が残留し、端子Ｗに接続する電極線は−に切替えられたが、移動シート１のその部位には電荷がまだ誘起されていない。すなわち、移動シート１と固定シート２との間には、対向面に対して直角方向には斥力が作用し、平行方向には図４（３）において移動シート１を右方向に引く引力が作用する。したがって、移動シート１が固定シート２に対して浮上し移動し易くなるとともに、移動シート１には右方向の力が作用している。
次に、図４（４）に示すステップおいて、移動シート１は固定シート２に対して電極線の１間隔程度だけ右方向に移動して安定する。
【００２１】
上述の一例は、移動シート１が固定シート２に対して移動する原理を説明したもので、端子Ｕ，Ｖ，Ｗに対して特殊な電圧が印加された一例であるということではない。図４に示す構成において、端子Ｕ，Ｖ，Ｗに対して、一般的な、３相の電圧を印加したときにも同様に移動シート１が固定シート２に対して移動する。たとえば、端子Ｕ，Ｖ，Ｗに３相のパルス電圧を印加するものとする。３相の各相は１２０度づつ位相がずれており、パルス電圧は＋（プラス）または−（マイナス）の２つの状態のいずれかである。最初に（Ｕ，Ｖ，Ｗ）＝（−，＋，−）であったとすると、そこから６０度位相が進んだときにはパルス電圧は（−，＋，＋）となる。そのように、６０度づつ位相を順次進めると、０度のときは（−，＋，−）、６０度のときは（−，＋，＋）、１２０度のときは（−，−，＋）、１８０度のときは（＋，−，＋）、２４０度のとき（＋，−，−）、３００度のときは（＋，＋，−）であり、３６０度のときは（−，＋，−）で０度のときのパルス電圧に戻る。このパルス電圧は、図４に示す端子Ｕ，Ｖ，Ｗの配列において、＋（プラス）および−（マイナス）の位置が左から右へシフトして行く形態となっている。このとき、移動シート１は固定シート２における電極線による電界の移動に引かれるようにして固定シート２に対して移動する。
【００２２】
次に、固定シート２の電極構成について説明する。固定シート２における電極線のパターンの一例を図５に示す。固定シート２において移動シート１との対向面に沿う方向に複数本が互いに平行となるように配列している電極線は、図５に示すパターンの一例においては中央部分に存在する。その中央部分を挟む左側部分と右側部分は、電極線の複数本を端子Ｕ，Ｖ，Ｗに結合するためのリード線（電極線のリード線）である。端子Ｕ，Ｖ，Ｗと、その各々に結合するリード線と、電極線とは３系統に一体化した導電線であり、端子、リード線、電極線という区別は無意味にも思えるが、ここではその役割において区別する。すなわち、電源部から電力を供給する導電線の部分が端子Ｕ，Ｖ，Ｗであり、端子Ｕ，Ｖ，Ｗと電極線とを結合し電力を伝送する導電線の部分がリード線であり、移動シート１と固定シート２における静電力が作用する主要な導電線の部分が電極線である。
図５においては、端子Ｕに結合するＵ相リード線が左側部分に配置し、端子Ｗに結合するＷ相リード線が右側部分に配置している。また、Ｕ相リード線とＷ相リード線とは固定シート２における表面に配置している。一方、端子Ｖに結合するＶ相リード線は固定シート２における裏面に配置している。Ｖ相リード線は、図５に示すパターンの一例においては、左側部分と右側部分に分かれて配置している。端子Ｖに結合するＶ相電極線を表面に配置するためには、裏面に配置しているＶ相リード線からスルーホールにより表面に配置しているＶ相リード線に電気的な接続を行ない、その表面に配置しているＶ相リード線とＶ相電極線とを結合するパターンとする。
【００２３】
固定シート２においては、上述のように、複数本の電極線は配列の順序にしたがって３系統に統合接続されて３系統の端子Ｕ，Ｖ，Ｗが設けられている。その端子Ｕ，Ｖ，Ｗに属するリード線と電極とによって１つの電極郡が構成される。固定シート２における電極郡のパターンの一例を図６に示す。固定シート２においては、図６に一例を示すように、端子Ｕａ，Ｖａ，Ｗａを有する電極郡Ａ、端子Ｕｂ，Ｖｂ，Ｗｂを有する電極郡Ｂ、端子Ｕｃ，Ｖｃ，Ｗｃを有する電極郡Ｃ、のように複数の電極郡が並列配置されている。
それらの複数の電極郡の各端子に対しては、印加する電圧を独立に制御することができる。電源部は制御部の制御下において動作し、電源部は複数の電極郡の各端子に対して、制御部にプログラミングされた所定の時系列パターンで変化する電圧を印加する。
【００２４】
本発明の印刷物において固定シート２に対して移動シート１を全体的に同一方向に移動することができる。移動シート１を同一方向に移動するときには固定シート２においてすくなくとも移動シート１と対向する電極郡に対しては同一の時系列パターンで変化する電圧を印加する。たとえば、図６において、電極郡Ａの端子Ｕａ，Ｖａ，Ｗａと、電極郡Ｂの端子Ｕｂ，Ｖｂ，Ｗｂと、電極郡Ｃの端子Ｕｃ，Ｖｃ，Ｗｃには同一の時系列パターンで変化する電圧を印加する。すべての電極郡の端子を一組の端子Ｕ，Ｖ，Ｗに接続し同一の時系列パターンで変化する電圧を印加するように構成した固定シート２の一例を図７に示す。図６、図７において同様であるが、固定シート２においてすくなくとも移動シート１と対向する電極郡に対しては同一の時系列パターンで変化する電圧を印加すると、その時系列パターンによって、移動シート１の全体は同一方向の移動または全体が同一動作を行なう。たとえば、端子Ｕ，Ｖ，Ｗに対して１２０度づつ位相がずれた３相の電圧を印加したときには、その位相が進む方向に移動シート１が固定シート２に対して移動する。また、端子Ｕ，Ｖ，Ｗに（Ｕ，Ｖ，Ｗ）＝（０，０，０）でなく時系列で変化しない電圧を印加すると移動シート１が固定シート２に対して停止（静電固定）する。また、端子Ｕ，Ｖ，Ｗに（Ｕ，Ｖ，Ｗ）＝（０，０，０）でない電圧を印加した後に、その電圧の極性を逆極性とすると、その瞬間には移動シート１が固定シート２に対して浮き上がる（突出する）状態となる。
【００２５】
次に、本発明の印刷物における電源部と制御部について説明する。本発明の印刷物における電源部の構成の一例を図８に示す。また、本発明の印刷物における制御部の構成の一例を図９に示す。図８において、１０１は入力器、１０２は制御器、１０３は高電圧電源、１０４は復号器、１０５は切替器であり、これらによって電源部が構成される。また図９において２００は制御部である。
入力器１０１は、制御部２００から制御の態様を指令する信号を入力し、制御器１０２に対してその信号を出力する部分である。すなわち、インタフェース、バッファ等の役割を有する部分である。その信号にはＵＰ、ＤＯＷＮ、ＳＴＡＲＴ、ＳＴＯＰ、ＳＰＥＥＤが存在する。ＵＰは移動シート１を上昇移行させる指令信号であり、ＤＯＷＮは移動シート１を下降移行させる指令信号である。また、ＳＴＡＲＴは高電圧電源の電力供給を開始する指令信号であり、ＳＴＯＰは高電圧電源の電力供給を停止する指令信号である。また、ＳＰＥＥＤは３相交流における周波数を決定する指令信号である。
【００２６】
制御器１０２は入力器１０１から入力した指令信号に基づいて高圧電源１０３と復号器１０４を操作する操作信号を出力する制御器である。
高電圧電源１０３はグランドに対してプラス高電圧とマイナスの高電圧を出力する電源である。高電圧電源１０３は制御器１０２が出力する操作信号に基づいてプラス高電圧とマイナスの高電圧における出力電圧を変化することができる。出力電圧の範囲は、たとえば、２００〜２０００ボルト（Ｖ）である。
復号器１０４は、制御器１０２が出力する操作信号を切替器１０５を動作させる切替信号に複合化する。
切替器１０５は、復号器１０４が複合化する切替信号によって、高圧電源１０３の出力を切替える。その切替によって得られる出力は、たとえば、（１）３相正向進行波、（２）３相逆向進行波、（３）３つの出力をすべてプラス高電圧、（４）３つの出力をすべてマイナス高電圧、（５）３つの出力をすべてグランド（０電圧）のいずれかである。
【００２７】
上述の図８に示す電源部は、図９に一例を示すように、電源部Ａ，Ｂ，Ｃ，・・・、のように複数個が存在する。その複数個の電源部Ａ，Ｂ，Ｃ，・・・の各々は、複数個の電極郡Ａ，Ｂ，Ｃ，・・・の各々に電力を供給する。すなわち、１つの電極郡には１つの電源部が対応している。
制御部２００は、電源部の入力器１０１に対して前述した制御の態様を指令する信号を出力する。その指令信号の出力は、移動シート１が所定の動作を行なうようにするためのものである。そのために、制御部２００は、移動シート１の所定の動作に対応した動作プログラムを備えている。その動作プログラムを実行することにより電源部Ａ，Ｂ，Ｃ，・・・の各々に対応した指令信号を時系列で生成する。そして、その生成した指令信号を電源部Ａ，Ｂ，Ｃ，・・・に対して出力する。その結果、移動シート１がプログラムされた所定の動作を行なう。制御部２００としては、パーソナルコンピュータ等のデータ処理装置を使用することができる。
【００２８】
なお、移動シート１に対して案内機構等により移動範囲を制限せず複雑で長時間の動作を行なわせるときには、固定シート２に対する移動シート１の位置誤差が累積して位置が不定となり得る。そのことを回避するためには、本発明の印刷物において、移動シート１の位置を検出するセンサ（図示せず）を備える。また、制御部２００がそのセンサが出力する信号入力し、その信号に基づいて位置ずれが所定の範囲を超えないように制御を行なう制御プログラムを備える。このときには、前述した動作プログラムと制御プログラムの２つが動作することになる。たとえば、動作プログラムと制御プログラムを所定（一連の完結する動作の単位）の間隔で交互に繰返し、その時々の動作プログラムにおける目標位置とセンサが検出した実測位置との誤差を制御プログラムが無くすように操作する構成とすることができる。また、動作プログラムそのものが制御動作を行なうプログラムであるようにすることもできる。その動作プログラムにおける移動シート１の移動は、たとえば、目標位置に追従するサーボ制御とすることができる。位置を検出するセンサとしては、光電センサ、ファイバーセンサ、イメージ処理システム、等の周知のセンサを使用することができる。
【図面の簡単な説明】
【００２９】
【図１】本発明の印刷物における移動シートと固定シートの部分の構成の一例を示す図である。
【図２】包装体からリード線を引出す部分の構造の一例を示す図（その１）である。
【図３】包装体からリード線を引出す部分の構造の一例を示す図（その２）である。
【図４】移動シートと固定シートの間に静電力が発生し、その静電力により移動を行なう原理についての説明図である。
【図５】固定シートにおける電極線のパターンの一例を示す図である。
【図６】固定シートにおける電極郡のパターンの一例を示す図である。
【図７】すべての電極郡の端子を一組の端子Ｕ，Ｖ，Ｗに接続し同一の時系列パターンで変化する電圧を印加するように構成した固定シートの一例を示す図である。
【図８】本発明の印刷物における電源部の構成の一例を示す図である。
【図９】本発明の印刷物における制御部の構成の一例を示す図である。
【符号の説明】
【００３０】
１  移動シート
２  固定シート
３ａ，３ｂ  包装体
４  流動体
５  リード線
６  ヒートシール材（シーラント）
１０１  入力器
１０２  制御器
１０３  高電圧電源
１０４  復号器
１０５  切替器
２００  制御部
【図１】
2009128573.tif 000003
【図２】
2009128573.tif 000004
【図３】
2009128573.tif 000005
【図４】
2009128573.tif 000006
【図５】
2009128573.tif 000007
【図６】
2009128573.tif 000008
【図７】
2009128573.tif 000009
【図８】
2009128573.tif 000010
【図９】
2009128573.tif 000011